(57)【要約】【課題】サーボ制御を安定に行うことができる光ディスク装置の制御方法を提供する。【解決手段】第１の制御信号を出力する第１電圧出力回路１４と、第２の制御信号を出力する第２電圧出力回路１６とを含み、データの再生時において第１の制御信号に基づいて発光素子の出力を制御し、データの消去又は記録時において第２の制御信号に基づいて発光素子の出力を制御する光ディスク装置の制御方法であって、データの消去又は記録時において、第１電圧出力回路１４から出力される制御信号がデータの再生時における値と略等しい値になるように定電流制御すると共に、第２電圧出力回路１６を定電力制御する工程と、データの再生時において、第１電圧出力回路１４を定電力制御すると共に、第２電圧出力回路１６を定電流制御する工程とを含む制御方法。【選択図】        図１
2004319010.tif 000002
【特許請求の範囲】
【請求項１】
第１の制御信号を出力する第１の制御信号出力手段と、
第２の制御信号を出力する第２の制御信号出力手段と、を含み、
データの再生時において前記第１の制御信号に基づいて発光素子の出力を制御し、データの消去又は記録時において前記第２の制御信号に基づいて発光素子の出力を制御する光ディスク装置であって、
データの再生時において、前記第１の制御信号出力手段を定電力制御する第１の定電力制御手段と、
データの消去又は記録時において、前記第１の制御信号出力手段を定電流制御する第１の定電流制御手段と、
データの再生時において、前記第２の制御信号出力手段を定電流制御する第２の定電流制御手段と、
データの消去又は記録時において、前記第２の制御信号出力手段を定電力制御する第２の定電力制御手段と、
前記第１の制御信号出力手段の制御を前記第１の定電流制御手段から前記第１の定電力制御手段に切り替え、前記第２の制御信号出力手段の制御を前記第２の定電力制御手段から前記第２の定電流制御手段に切り替える切替手段と、
を含み、
前記切替手段によって前記第１の制御信号出力手段の制御が前記第１の定電流制御手段から前記第１の定電力制御手段へと切り替えられる前に、前記第１の制御信号出力手段から出力される制御信号がデータの再生時における値と略等しい値になるように前記第１の制御信号出力手段を定電流制御することを特徴とする光ディスク装置。
【請求項２】
請求項１に記載の光ディスク装置において、
前記光学素子を駆動するドライバと、
データの消去又は記録時において前記ドライバと前記第１の制御信号出力手段との電気的接続を切るスイッチと、
を有することを特徴とする光ディスク装置。
【請求項３】
第１の制御信号を出力する第１の制御信号出力手段と、第２の制御信号を出力する第２の制御信号出力手段とを含み、データの再生時において前記第１の制御信号に基づいて発光素子の出力を制御し、データの消去又は記録時において前記第２の制御信号に基づいて発光素子の出力を制御する光ディスク装置の制御方法であって、
データの消去又は記録時において、前記第１の制御信号出力手段から出力される制御信号がデータの再生時における値と略等しい値になるように定電流制御すると共に、前記第２の制御信号出力手段を定電力制御する工程と、
データの再生時において、前記第１の制御信号出力手段を定電力制御すると共に、前記第２の制御信号出力手段を定電流制御する工程と、を含むことを特徴とする光ディスク装置の制御方法。
【請求項４】
請求項３に記載の光ディスク装置の制御方法において、
前記光ディスク装置は、前記光学素子を駆動するドライバを有し、前記ドライバと前記第１の制御信号出力手段とはスイッチを介して接続されており、
データの消去又は記録時からデータの再生時に移行する際に、前記スイッチを閉じて、前記ドライバと前記第１の制御信号出力手段とを電気的に接続する工程を有することを特徴とする光ディスク装置の制御方法。
【発明の詳細な説明】
【０００１】
【発明の属する技術分野】
本発明は、サーボ制御を安定に行うことができる光ディスク装置及び光ディスク装置の制御方法に関する。
【０００２】
【従来の技術】
従来より、データの記録が可能なＣＤ−Ｒやデータの記録及び消去が可能なＣＤ−ＲＷ等の光ディスク装置が広く利用されている。
【０００３】
このような光ディスク装置におけるデータの記録は、記録材料である有機色素材料にレーザ光を照射し、記録マーク（ピット）を焼き付けて行われる。また、データの再生は、ディスクの記録面に記録された記録マークにレーザ光を照射し、その反射を検出することによって行われる。このとき、レーザ光はレンズを通してディスクの記録面に照射され、記録又は再生に最適な状態になるようにレンズ位置を制御するフォーカスサーボ制御を行う必要がある。
【０００４】
さらに、データの再生、消去及び記録をディスク上の正確な位置で行うため、ディスク上に予め刻まれた案内溝（Ｇｒｏｏｖｅ）からのレーザ光の反射を利用して、この案内溝を正確にトレースするようにレンズ位置を制御するトラッキングサーボ制御を行う必要もある。
【０００５】
また、データの再生、消去及び記録に対して最適なレーザ光のパワーを調査し、定電流制御や定電力制御により最適パワーを保って再生、消去及び記録の各々の処理を行う必要がある。
【０００６】
従来の光ディスク装置は、図１に示すように、レーザダイオード（ＬＤ）１０、レーザダイオードドライバ（ＬＤドライバ）１２、第１電圧出力回路１４、第２電圧出力回路１６、増幅器１８、減衰回路（ＡＴＴ回路）２０、定電力制御回路（ＡＰＣ回路）２２，３２、定電流制御回路（ＡＣＣ回路）２４，３４、複数のデジタル／アナログ変換回路（ＤＡ回路）２６，２８，３６，３８、複数のサンプルホールド回路（Ｓ／Ｈ回路）３０，４０を含んで構成される。また、これらの回路を制御する処理部４４及び各スイッチ等を切り替える信号を制御するＥＮＤＥＣ４２も含まれる。さらに、レーザダイオード１０の出力電力をフォトダイオード等の光電変換素子によって検出し、フィードバック信号を出力するＦＭＤ回路４８も備えている。
【０００７】
第１電圧出力回路１４は、スイッチＳＷ１を介して、ＡＰＣ回路２２又はＡＣＣ回路２４に接続される。ＡＰＣ回路２２はＤＡ回路２６及びＳ／Ｈ回路３０と接続され、ＡＣＣ回路２４はＤＡ回路２８と接続される。ＤＡ回路２６，２８は、処理部４４に接続される。また、Ｓ／Ｈ回路３０は、ＦＭＤ回路４８に接続される。
【０００８】
同様に、第２電圧出力回路１６は、スイッチＳＷ２を介して、ＡＰＣ回路３２又はＡＣＣ回路３４に接続される。ＡＰＣ回路３２は、ＤＡ回路３６及びＳ／Ｈ回路４０と接続され、ＡＣＣ回路３４はＤＡ回路３８に接続される。さらに、ＤＡ回路３６，３８は、処理部４４に接続される。また、Ｓ／Ｈ回路３０は、ＦＭＤ回路４８に接続される。
【０００９】
増幅器１８はＡＴＴ回路２０に接続され、ＡＴＴ回路２０は処理部４４に接続される。ＡＴＴ回路２０には減衰器（アッテネータ）が含まれており、第２電圧出力回路１６からの出力電圧を減衰した後に増幅器１８に送出する。増幅器１８は、ＡＴＴ回路２０の出力を所定の増幅率で増幅し、ＬＤドライバ１２へ出力する。
【００１０】
第１電圧出力回路１４、第２電圧出力回路１６及び増幅器１８は、図２に示すように、スイッチＳＷ３〜ＳＷ５を介して、ＬＤドライバ１２に含まれる第１電流源５０、第２電流源５２及び第３電流源５４に接続されている。第１電圧出力回路１４、第２電圧出力回路１６又は増幅器１８からの制御電圧を受けて、ＬＤドライバ１２の第１電流源５０、第２電流源５２及び第３電流源５４はレーザダイオード１０へ駆動電流を出力する。データの再生時には第１電流源５０からの電流、データの消去時には第１電流源５０及び第２電流源５２からの合成電流及びデータの記録時には第１電流源５０及び第３電流源５４からの合成電流によってレーザダイオード１０が発光してデータの再生、消去又は記録がそれぞれ行われる。
【００１１】
図５に、ディスク上のデータの再生、消去及び記録時の各信号のタイミングチャートの例を示す。光ディスク装置は、ディスクに刻まれているＡＴＩＰ基準信号（ＡＴＩＰＳＹＮＣ）を読み出し、このＡＴＩＰ基準信号の立ち上がりに応じて各フレームにおける処理を行う。このタイミングチャートの例では、第１フレームにおいて前フレームから引き続いてディスクのデータの消去及び記録が行われ、その後第２フレームからディスクのデータの再生に移行している。
【００１２】
第１フレーム以前では、切替タイミング回路４６から出力されるＥＦＭＧ信号が”Ｈレベル”であり、スイッチＳＷ１がｂ１側に接続され、スイッチＳＷ２がａ２側に接続される。これによって、第１電圧出力回路１４はＡＣＣ回路２４によって制御され、第２電圧出力回路１６はＡＰＣ回路３２によって制御される。
【００１３】
第１フレームのデータの消去及び記録においては、処理部４４からＤＡ回路２８にＷＲＤＡ１信号が出力される。ＤＡ回路２８は処理部４４からのＷＲＤＡ１信号をデジタル／アナログ変換してＡＣＣ回路２４に出力する。ＡＣＣ回路２４は、ＬＤドライバ１２の第１電流源５０から出力される駆動電流をＷＲＤＡ１信号で定まる一定の電流値に維持するように定電流制御を行う。このとき、ＷＲＤＡ１信号で定まる電流は、データの記録中における基底パワー（ボトムパワー）を決定するものであり、レーザダイオード１０が光らない程度の電流値となるようにＡＣＣ回路２４は第１電圧出力回路１４を制御する。また、ＥＮＤＥＣ４２からはＬＤＯＮ信号が常時出力され、スイッチＳＷ３が閉じられて第１電圧出力回路１４とＬＤドライバ１２が接続される。このとき、第１電圧出力回路１４が出力する制御電圧を電圧値ＶＲＤＣ＿Ｗ（記録時のＶＲＤＣ）とする。
【００１４】
一方、処理部４４はＤＡ回路３６に対してＷＤＡＣ１信号を出力する。ＤＡ回路３６は、ＷＤＡＣ１信号をデジタル／アナログ変換してＡＰＣ回路３２に出力する。ＡＰＣ回路３２は、レーザダイオード１０からの出力電力がディスク上のデータの消去を行うために適した電力となるように第２電圧出力回路１６から出力される制御電圧を制御する。レーザダイオード１０の出力電力はＦＭＤ回路４８によって読み取られ、ＦＭＤ回路４８からフィードバック信号が出力される。
ＥＮＤＥＣ４２は、データの消去のタイミングに同期してＷＡＰＣ信号を出力し、ＦＭＤ回路４８からのフィードバック信号をＳ／Ｈ回路４０にサンプルホールドさせる。ＡＰＣ回路３２は、このサンプリング値に基づいて消去時のレーザダイオード１０のパワーが一定となるように第２電圧出力回路１６を制御する。
【００１５】
また、ＥＮＤＥＣ４２は、ディスク上のデータを消去するタイミングでＰＥＯ信号を出力する。これによって、スイッチＳＷ４が閉じられ、第２電圧出力回路１６とＬＤドライバ１２とが接続される。ＡＣＣ回路２４によって制御されたＬＤドライバ１２の第１電流源５０からの電流と、ＡＰＣ回路３２によって制御されたＬＤドライバ１２の第２電流源５２からの電流との合成電流がレーザダイオード１０の駆動電流として出力され、ディスク上のデータが消去される。このときの第２電圧出力回路１６の制御電圧を電圧値ＶＷＤＣ＿Ｗ（記録時のＶＷＤＣ）し、レーザダイオード１０からの出力電力を電力値ＦＭＤ＿Ｗとする。
【００１６】
同時に、ＥＮＤＥＣ４２は、データの消去時にＲＡＰＣ信号を出力することによって、ＦＭＤ回路４８からのフィードバック信号をＳ／Ｈ回路３０にサンプルホールドさせる。ＡＰＣ回路２２は、このサンプリング値に基づいて、光ディスク装置がデータの再生に切り替えられた場合に最適のレーザダイオード１０の出力パワーが得られるように調整を行う。
【００１７】
また、ディスク上にデータを記録する際には、ＥＮＤＥＣ４２は、ディスク上にデータを記録するタイミングでＰＷＯ信号を出力し、スイッチＳＷ５を閉じることにより増幅器１８とＬＤドライバ１２とを接続する。これによって、ＡＣＣ回路２４によって制御されたＬＤドライバ１２の第１電流源５０からの電流と、増幅器１８の制御電圧によって制御された第３電流源５４からの電流との合成電流がレーザダイオード１０に駆動電流として供給され、ディクス上にデータが記録される。
【００１８】
例えば、相変化を利用したディスクでは、データの消去にはイレースパワーＰＥＲ：５ｍＷ及びデータの記録にはライトパワーＰＷＲ：１１ｍＷが得られるようにＶＲＤＣ＿Ｗ及びＶＷＤＣ＿Ｗの調整が行われる。
【００１９】
続いて、データの消去及び記録を行う第１フレームからデータの再生を行う第２フレームに移行する際の処理について説明する。データの消去及び記録を行うフレームは、データの消去によって終了し、次のデータの再生処理が開始される。ＡＴＩＰＳＹＮＣ信号の立ち上がりに応じて、切替タイミング回路４６はＥＦＭＧ信号を立ち下げ、スイッチＳＷ１をａ１側に、スイッチＳＷ２をｂ２側に切り替える。
【００２０】
処理部４４はＤＡ回路２６にＲＥＤＡ信号を出力し、ディスク上のデータの再生を行う際に必要な程度の制御電圧が第１電圧出力回路１４から出力されるように設定する。ＥＮＤＥＣ４２は、ＲＡＰＣ信号を“Ｈレベル”に立ち上げて保持することによって、ＦＭＤ回路４８から出力されるレーザダイオード１０の出力電力のフィードバック信号をＳ／Ｈ回路３０にサンプルホールドさせる。ＡＰＣ回路２２は、このサンプリング値に基づいて、再生時のレーザダイオード１０のパワーが一定となるように第１電圧出力回路１４を制御する。ＬＤドライバ１２は、第１電圧出力回路１４から出力される制御電圧を受けて、第１電流源５０から駆動電流を出力してレーザダイオード１０を駆動する。一定に制御された第１電圧出力回路１４の制御電圧を電圧値ＶＲＤＣ＿Ｒ（再生時のＶＲＤＣ）とし、レーザダイオード１０の出力電力を電力値ＦＭＤ＿Ｒという。
【００２１】
例えば、相変化を利用したディスクでは、データの再生にはリードパワーＰＲＤ：１ｍＷが得られるようにＶＲＤＣ＿Ｒの調整が行われる。
【００２２】
一方、処理部４４は、第２電圧出力回路１６からの制御電圧を画定するＷＤＡＣ２信号をＤＡ回路３８に出力する。ＡＣＣ回路３４は、ＬＤドライバ１２の第２電流源５２の電流がレーザダイオード１０を光らせない程度の電流値となるように第２電圧出力回路１６から出力される制御電圧を制御する。このときの第２電圧出力回路１６をＶＷＤＣ＿Ｒという。また、増幅器１８から出力されるＡＴＴ増幅信号もレーザダイオード１０が光らない程度に十分に低く保たれる。
【００２３】
【発明が解決しようとする課題】
上述のように、データの消去及び記録を行うフレームにおいて、第１電圧出力回路１４はＡＣＣ回路２４によって定電流制御され、その出力はレーザダイオード１０が光らない程度に十分低い制御電圧ＶＲＤＣ＿Ｗに維持されている。データの消去及び記録を行うフレームからデータの再生を行うフレームに移行する際には、第１電圧出力回路１４はＡＣＣ回路２４による定電流制御からＡＰＣ回路２２による定電力制御に切り替えられ、その出力はデータの再生に適した制御電圧ＶＲＤＣ＿Ｒに変更される。
【００２４】
このような制御では、図６の第１電圧出力回路１４の制御電圧とレーザダイオード１０の出力電力との関係で示されるように、データの消去又は記録を行うフレームからデータの再生を行うフレームに移行する際に、レーザダイオード１０が全く光らない点（図６のＢ点）からデータの再生に適した点（図６のＡ点）まで直接変更される。このとき、ＡＰＣ回路２２によって電圧値ＶＲＤＣ＿Ｗから電圧値ＶＲＤＣ＿Ｒまで制御電圧が昇圧されるまでに時間が掛かり、図５のタイミングチャートのようにレーザダイオード１０が光らない期間ＴＢが生ずる問題がある。
【００２５】
レーザダイオード１０が光らない期間ＴＢが存在することによって、フォーカスサーボ制御やトラッキングサーボ制御を行うためのレーザダイオード１０の光の反射信号が得られなくなり、光ディスク装置のサーボ制御が不安定となる問題が発生する。
【００２６】
本発明は、上記従来技術の問題を鑑み、サーボ制御を安定に行うことができる光ディスク装置及び光ディスク装置の制御方法を提供することを目的とする。
【００２７】
【課題を解決するための手段】
上記課題を解決できる本発明は、第１の制御信号を出力する第１の制御信号出力手段と、第２の制御信号を出力する第２の制御信号出力手段と、を含み、データの再生時において前記第１の制御信号に基づいて発光素子の出力を制御し、データの消去又は記録時において前記第２の制御信号に基づいて発光素子の出力を制御する光ディスク装置であって、データの再生時において、前記第１の制御信号出力手段を定電力制御する第１の定電力制御手段と、データの消去又は記録時において、前記第１の制御信号出力手段を定電流制御する第１の定電流制御手段と、データの再生時において、前記第２の制御信号出力手段を定電流制御する第２の定電流制御手段と、データの消去又は記録時において、前記第２の制御信号出力手段を定電力制御する第２の定電力制御手段と、前記第１の制御信号出力手段の制御を前記第１の定電流制御手段から前記第１の定電力制御手段に切り替え、前記第２の制御信号出力手段の制御を前記第２の定電力制御手段から前記第２の定電流制御手段に切り替える切替手段と、を含み、前記切替手段によって前記第１の制御信号出力手段の制御が前記第１の定電流制御手段から前記第１の定電力制御手段へと切り替えられる前に、前記第１の制御信号出力手段から出力される制御信号がデータの再生時における値と略等しい値になるように前記第１の制御信号出力手段を定電流制御することを特徴とする。
【００２８】
また、上記本発明の光ディスク装置において、前記光学素子を駆動するドライバと、データの消去又は記録時において前記ドライバと前記第１の制御信号出力手段との電気的接続を切るスイッチと、を有することが好適である。
【００２９】
また、上記課題を解決できる本発明の別の形態は、第１の制御信号を出力する第１の制御信号出力手段と、第２の制御信号を出力する第２の制御信号出力手段とを含み、データの再生時において前記第１の制御信号に基づいて発光素子の出力を制御し、データの消去又は記録時において前記第２の制御信号に基づいて発光素子の出力を制御する光ディスク装置の制御方法であって、データの消去又は記録時において、前記第１の制御信号出力手段から出力される制御信号がデータの再生時における値と略等しい値になるように定電流制御すると共に、前記第２の制御信号出力手段を定電力制御する工程と、データの再生時において、前記第１の制御信号出力手段を定電力制御すると共に、前記第２の制御信号出力手段を定電流制御する工程と、を含むことを特徴とする。
【００３０】
また、上記本発明の光ディスク装置の制御方法において、前記光ディスク装置は、前記光学素子を駆動するドライバを有し、前記ドライバと前記第１の制御信号出力手段とはスイッチを介して接続されており、データの消去又は記録時からデータの再生時に移行する際に、前記スイッチを閉じて、前記ドライバと前記第１の制御信号出力手段とを電気的に接続する工程を有することが好適である。
【００３１】
【発明の実施の形態】
以下、本発明の実施の形態について図面を参照して説明する。本発明の実施の形態における光ディスク装置は、図１及び図２に示した従来の光ディスク装置と同様の構成を含んでいる。
【００３２】
図３に、本実施の形態におけるディスク上のデータの再生、消去及び記録時の各信号のタイミングチャートの例を示す。このタイミングチャートの例では、第１フレームにおいて前フレームから引き続いてディスクのデータの消去及び記録が行われ、第２フレームからのディスクのデータの再生に移行する。
【００３３】
第１フレーム以前では、切替タイミング回路４６から出力されるＥＦＭＧ信号が”Ｈレベル”にあり、スイッチＳＷ１がｂ１側に接続され、スイッチＳＷ２がａ２側に接続される。これによって、第１電圧出力回路１４はＡＣＣ回路２４によって制御され、第２電圧出力回路１６はＡＰＣ回路３２によって制御される。
【００３４】
本実施の形態では、データの消去時及び記録時において、ＥＮＤＥＣ４２はスイッチＳＷ３に対するＬＤＯＮ信号を“Ｌレベル”にして、第１電圧出力回路１４とＬＤドライバ１２とを切り離す。
【００３５】
処理部４４は、ＤＡ回路２８にＷＲＤＡ２信号を出力する。ＷＲＤＡ２信号はアナログ信号に変換されてＡＣＣ回路２４に出力される。ＡＣＣ回路２４は、ＷＲＤＡ２信号を受けて第１電圧出力回路１４に対して定電流制御を行う。このＷＲＤＡ２信号による制御によって、第１電圧出力回路１４からの制御電圧はデータの再生時における制御電圧値ＶＲＤＣ＿Ｒとほぼ等しい電圧に維持される。但し、ＬＤＯＮ信号は“Ｌレベル”とされており、スイッチＳＷ３は開かれているため、第１電圧出力回路１４からの制御電圧はＬＤドライバ１２へ伝達されず、第１電流源５０からレーザダイオード１０への駆動電流は出力されない。
【００３６】
ＷＲＤＡ２信号の値は、図４に示すように、第１電圧出力回路１４の制御電圧及びＤＡ回路２８の設定値とＦＭＤ回路４８で読み取ったレーザダイオード１０の出力電力との関係から予め求めておくことができる。
【００３７】
まず、ＥＦＭＧ信号を“Ｌレベル”にして第１電圧出力回路１４とＡＰＣ回路２２とを接続し、処理部４４からＤＡ回路２６にＲＥＤＡ信号を設定する。このときに第１電圧出力回路１４から出力される電圧ＶＲＤＣ＿ＲをＡＤコンバータ（図示しない）によって読み取る。
【００３８】
次に、ＥＦＭＧ信号を“Ｈレベル”にして第１電圧出力回路１４とＡＣＣ回路２４とを接続し、第１電圧出力回路１４から電圧ＶＲＤＣ＿Ｒとほぼ等しい電圧が出力されるようにＤＡ回路２８を調整し、このときの設定値をＷＲＤＡ２とする。
【００３９】
一方、処理部４４は、ＤＡ回路３６に対してＷＤＡＣ３信号を出力する。ＤＡ回路３６は、ＷＤＡＣ３信号をデジタル／アナログ変換してＡＰＣ回路３２へ出力する。ＡＰＣ回路３２は、アナログ変換されたＷＤＡＣ３信号を受けて、レーザダイオード１０からの出力電力がディスク上のデータの消去に適した電力ＦＭＤ＿Ｗとなるように第２電力出力回路１６の出力を制御する。
【００４０】
データの消去を行うときには、ＥＮＤＥＣ４２によってデータを消去するタイミングに同期させてＰＥＯ信号を“Ｈレベル”に設定し、スイッチＳＷ４を閉じることで第２電圧出力回路１６からの制御電圧値をＬＤドライバ１２に入力する。ＬＤドライバ１２では、第２電圧出力回路１６からの制御電圧値を受けて、第２電流源５２からレーザダイオード１０へ駆動電流が供給される。レーザダイオード１０はこの駆動電流により発光させられ、ディスク上のデータの消去が行われる。このとき、第１電圧出力回路１４とＬＤドライバ１２とは切り離されているので、レーザダイオード１０は第２電流源５２からの駆動電流のみで発光させられる。
【００４１】
レーザダイオード１０の出力パワーはＦＭＤ回路４８によって読み取られ、フィードバック信号としてＳ／Ｈ回路４０へ出力される。ＥＮＤＥＣ４２は、データ消去のタイミングに同期してＷＡＰＣ信号を出力し、フィードバック信号をＳ／Ｈ回路４０にサンプルホールドさせる。ＡＰＣ回路３２は、このサンプリング値を受けて、レーザダイオード１０の出力が電力値ＦＭＤ＿Ｗに維持されるように第２電圧出力回路１６から出力される制御電圧ＶＷＤＣ＿Ｗ２を制御する。
【００４２】
また、ディスク上にデータを記録する際には、ＥＮＤＥＣ４２によってデータを消去するタイミングに同期させて、ＰＷＯ信号を“Ｈレベル”に設定し、スイッチＳＷ５を閉じる。
【００４３】
ＡＴＴ回路２０は第２電圧出力回路１６からの制御電圧値ＶＷＤＣ＿Ｗ２を受けて、この制御信号を減衰率ＡＴＴだけ減衰させて増幅器１８へ出力する。増幅器１８は、ＡＴＴ回路２０からの出力を増幅してＬＤドライバ１２へ出力する。
ＬＤドライバ１２の第３電流源５４は、増幅器１８からの制御電圧を受けて、その制御電圧によって規定される駆動電流をレーザダイオード１０に供給する。その結果、第３電流源５４からの駆動電流によってレーザダイオード１０が発光させられ、そのレーザダイオード１０の出力によってディクス上にデータが記録される。
【００４４】
このとき、レーザダイオード１０の出力はデータの消去時の電力値ＦＭＤ＿Ｗのε倍に制御される。データの消去時に比べてほぼ出力比ε倍の駆動電流がレーザダイオード１０に供給されることとなる。出力比εは、個々のディスクに対して固有の値としてディスクのウォブルのＡＴＩＰに記録されており、ＡＴＩＰから読み出されて設定される。
【００４５】
例えば、相変化を利用したディスクでは、イレースパワーＰＥＲ：５ｍＷ及びライトパワーＰＷＲ：１１ｍＷが得られるように電圧値ＶＷＤＣ＿Ｗ２が調整される。
【００４６】
データの消去及び記録が終了すると、データの再生を行う第２フレームに処理が移行される。ＡＴＩＰＳＹＮＣ信号の立ち上がりに応じて、切替タイミング回路４６はＥＦＭＧ信号を“Ｌレベル”に立ち下げ、スイッチＳＷ１がａ１側に、スイッチＳＷ２がｂ２側に切り替えられる。
【００４７】
処理部４４は、ＤＡ回路２６にＲＥＤＡ信号を出力する。ＤＡ回路２６はＲＥＤＡ信号をデジタル／アナログ変換して、第１電圧出力回路１４へ送出する。第１電圧出力回路１４は、アナログ変換されたＲＥＡＤ信号を受けて、制御信号として電圧値ＶＲＤＣ＿Ｒを出力する。ＬＤドライバ１２は、第１電圧出力回路１４から出力される制御電圧を受けて、第１電流源５０から駆動電流を出力してレーザダイオード１０を駆動する。一方、ＥＮＤＥＣ４２は、ＲＡＰＣ信号を“Ｈレベル”に立ち上げて保持することによって、ＦＭＤ回路４８から出力されるフィードバック信号をＳ／Ｈ回路３０にサンプルホールドさせる。ＡＰＣ回路２２は、このサンプリング値に基づいて、再生時のレーザダイオード１０のパワーがＲＥＤＡ信号によって規定される一定の値となるように第１電圧出力回路１４を制御する。例えば、相変化を利用したディスクでは、従来技術と同様にデータの再生にはリードパワーＰＲＤ：１ｍＷが得られるようにＶＲＤＣ＿Ｒの調整が行われる。
【００４８】
このとき、第１フレームにおいて第１電圧出力回路１４からの制御電圧ＶＲＤＣ＿Ｒが出力されるように定電流制御が行われるため、第１電圧出力回路１４がＡＣＣ回路２４の定電流制御からＡＰＣ回路２２の定電力制御に切り替えられて第２フレームに移行する際においても、連続して制御電圧ＶＲＤＣ＿Ｒが出力され続ける。従って、データの消去又は記録からデータの再生への移行時においてレーザダイオード１０が光らない期間ＴＢを無くすことができ、光ディスク装置におけるサーボ制御を安定して行うことが可能となる。
【００４９】
また、ＤＡ回路３８には、従来技術と同様にＷＤＡＣ２信号が設定され、ＡＣＣ回路３４によってＬＤドライバ１２の第２電流源５２の電流はレーザダイオード１０が光らない程度に十分に低く保たれる。さらに、増幅器１８から出力されるＡＴＴ増幅信号もレーザダイオード１０が光らない程度に十分に低く保たれる。
【００５０】
なお、本発明の光ディスク装置及び光ディスクの制御方法は、上記実施の形態に限定されるものではなく、本発明の要旨を逸脱しない範囲内において変更を加えた態様とすることができる。
【００５１】
【発明の効果】
以上のように、本発明によれば、光ディスク装置においてデータの再生、消去又は記録に用いられる発光素子が発光しない期間を無くすことができ、特にサーボ制御を安定に行うことができる効果が得られる。
【図面の簡単な説明】
【図１】光ディスク装置の構成を示すブロック図である。
【図２】光ディスク装置のＬＤドライバの構成を示す図である。
【図３】本発明の実施の形態における光ディスク装置の制御のタイミングチャートを示す図である。
【図４】本発明の実施の形態におけるＤＡ回路の設定値の取得方法を説明する図である。
【図５】従来の光ディスク装置の制御におけるタイミングチャートを示す図である。
【図６】従来の光ディスク装置の制御におけるレーザダイオードの出力変化を説明する図である。
【符号の説明】
１０  レーザダイオード、１２  ＬＤドライバ、１４  第１電圧出力回路、１６  第２電圧出力回路、１８  増幅器、２０  減衰回路（ＡＴＴ回路）、２６，２８，３６，３８  デジタル／アナログ変換回路（ＤＡ回路）、３０，４０  サンプルホールド回路（Ｓ／Ｈ回路）、４２  ＥＮＤＥＣ、４４  処理部、４６  切替タイミング回路、４８  ＦＭＤ回路、５０  第１電流源、５２  第２電流源、５４  第３電流源。
【図１】
2004319010.tif 000003
【図２】
2004319010.tif 000004
【図３】
2004319010.tif 000005
【図４】
2004319010.tif 000006
【図５】
2004319010.tif 000007
【図６】
2004319010.tif 000008